(57)【要約】【課題】レンズ鏡筒を鏡筒保持環に対してスムーズに回転させることができるようにする。【解決手段】レンズ鏡筒４は、径方向外周面の同一円周上に植設された複数のコマ６、８を備え、三脚座２は円環状の鏡筒保持環１６を備え、鏡筒保持環１６の内周面にはコマ保持溝２０が形成され、コマ保持溝２０を画成する被写体側の壁部２２Ａの内周側の縁には複数のコマ６、８に対応する位置に複数の切り欠き部２４、２６が形成され、複数のコマ６、８は、少なくとも第１の径方向高さの第１のコマ６と、第１の径方向高さよりも高い第２の径方向高さを有する第２のコマ８と、を含み、複数の切り欠き部２４、２６は、少なくとも、第１の径方向高さに対応する第１の径方向深さの第１の切り欠き部２４と、第２の径方向高さに対応し、第１の径方向深さよりも深い第２の径方向深さの第２の切り欠き部２６と、を含む。【選択図】図２
2017058412.tif 000002
【特許請求の範囲】
【請求項１】
レンズ鏡筒と三脚座との着脱構造であって、
前記レンズ鏡筒は、径方向外周面の同一円周上に植設された複数のコマを備え、
前記三脚座は円環状の鏡筒保持環を備え、
前記鏡筒保持環の内周面にはコマ保持溝が形成され、
前記コマ保持溝を画成する被写体側の壁部の内周側の縁には前記複数のコマに対応する位置に複数の切り欠き部が形成され、
前記複数のコマをそれぞれ対応する前記切り欠き部を通して前記コマ保持溝内に配置することにより、前記鏡筒保持環により前記レンズ鏡筒が保持され、
前記複数のコマは、少なくとも、第１の径方向高さの第１のコマと、前記第１の径方向高さよりも高い第２の径方向高さの第２のコマと、を含み、
前記複数の切り欠き部は、少なくとも、前記第１の径方向高さに対応する第１の径方向深さの第１の切り欠き部と、前記第２の径方向高さに対応し、前記第１の径方向深さよりも深い第２の径方向深さの第２の切り欠き部と、を含む、
ことを特徴とするレンズ鏡筒と三脚座との着脱構造。
【請求項２】
前記レンズ鏡筒の光軸から前記第２のコマの径方向最外部までの距離は、前記光軸から前記第１の切り欠き部の底部までの距離よりも大きい、請求項１記載のレンズ鏡筒と三脚座との着脱構造。
【請求項３】
前記複数の切り欠き部は、径方向深さの深い切り欠き部が光軸よりも下方に位置するように配置されている、請求項２記載のレンズ鏡筒と三脚座との着脱構造。
【請求項４】
三脚座により着脱可能に保持することができるレンズ鏡筒であって、
径方向外周面の同一円周上に植設された、前記三脚座に固定するための複数のコマを備え、
前記複数のコマは、少なくとも、第１の径方向高さの第１のコマと、前記第１の径方向高さよりも高い第２の径方向高さを有する第２のコマとを含む、ことを特徴とするレンズ鏡筒。
【請求項５】
レンズ鏡筒を着脱可能に保持するための三脚座であって、
円環状の鏡筒保持環を備え、
前記鏡筒保持環の内周面にはコマ保持溝が形成され、
前記コマ保持溝を画成する被写体側の壁部の内周側の縁には複数の切り欠き部が形成され、
前記複数の切り欠き部は、少なくとも、第１の径方向深さの第１の切り欠き部と、前記第１の径方向深さよりも深い第２の径方向深さを有する第２の切り欠き部と、を含む、ことを特徴とする三脚座。
【発明の詳細な説明】
【技術分野】
【０００１】
本発明は、三脚座、レンズ鏡筒、及び、レンズ鏡筒と三脚座との着脱構造に関する。
【背景技術】
【０００２】
従来より、レンズ鏡筒を取り付けたカメラを三脚に支持をとり、撮影することが行われている。小型のレンズ鏡筒をカメラに取り付けた場合には、カメラを三脚に固定することが可能であるが、大型のレンズ鏡筒をカメラに取り付けた場合には、レンズ鏡筒の重みで三脚が倒れる可能性がある。このため、大型のレンズ鏡筒を用いる場合には、三脚に三脚座を固定し、三脚座によりレンズ鏡筒を保持することが行われている。
【０００３】
このような三脚座によりレンズ鏡筒を保持する構造として、例えば、特許文献１に記載されているような、三脚座が円環状の鏡筒保持環を備えており、この鏡筒保持環内にレンズ鏡筒を固定する構造が知られている。レンズ鏡筒のカメラ側端部近傍の外周面に複数のコマが不等間隔で植設されている。また、鏡筒保持環の内周面には環状の鏡筒係止溝が形成され、鏡筒保持溝の被写体側の壁面の内周側の縁には、レンズ鏡筒の複数のコマに対応する位置に複数の切り欠き部が形成されている。そして、レンズ鏡筒の複数のコマを対応する鏡筒保持環の複数の切り欠き部を挿通させ、レンズ鏡筒を鏡筒保持環に対して回転させることにより、レンズ鏡筒の複数のコマが鏡筒保持環の鏡筒係止溝内に収容され、レンズ鏡筒が鏡筒保持環から離脱することを防止できる。そして、鏡筒保持環をレンズ鏡筒の外周に締め付けることにより、レンズ鏡筒が固定される。
【先行技術文献】
【特許文献】
【０００４】
【特許文献１】特開２００１−２６４６１１号公報
【発明の概要】
【発明が解決しようとする課題】
【０００５】
ところで、カメラによる撮影を行う際には、被写体に応じてカメラの姿勢を縦向きと横向きとの間で回転させることが頻繁に行われる。引用文献１に記載された三脚座にレンズ鏡筒を固定した状態でカメラの姿勢を回転させる場合には、鏡筒保持環に対してレンズ鏡筒が回転される。この際、レンズ鏡筒の外周面に植設された複数のコマは、鏡筒保持環の鏡筒保持溝内を移動する。
【０００６】
ここで、大型のレンズ鏡筒をカメラに取り付けた場合には、レンズ鏡筒を含むカメラ全体の重心は三脚座よりも被写体側に位置している。このため、レンズ鏡筒には前方が下方に向かうような回転モーメントが生じ、レンズ鏡筒の上部に位置するコマは鏡筒保持溝の被写体側の壁面に押し付けられている。このような状態で、レンズ鏡筒を鏡筒保持環に対して回転させようとすると、レンズ鏡筒の上部に位置するコマが、鏡筒保持環の切り欠き部内に入り込んで引っかかってしまい、スムーズな回転が妨げられる。
【０００７】
本発明は、上記の課題に鑑みなされたものであり、レンズ鏡筒を鏡筒保持環に対してスムーズに回転させることができるレンズ鏡筒と三脚座との着脱構造を提供することを目的とする。
【課題を解決するための手段】
【０００８】
本発明は、レンズ鏡筒と三脚座との着脱構造であって、レンズ鏡筒は、径方向外周面の同一円周上に植設された複数のコマを備え、三脚座は円環状の鏡筒保持環を備え、鏡筒保持環の内周面にはコマ保持溝が形成され、コマ保持溝を画成する被写体側の壁部の内周側の縁には複数のコマに対応する位置に複数の切り欠き部が形成され、複数のコマをそれぞれ対応する切り欠き部を通してコマ保持溝内に配置することにより、鏡筒保持環によりレンズ鏡筒が保持され、複数のコマは、少なくとも、第１の径方向高さの第１のコマと、第１の径方向高さよりも高い第２の径方向高さの第２のコマと、を含み、複数の切り欠き部は、少なくとも、第１の径方向高さに対応する第１の径方向深さの第１の切り欠き部と、第２の径方向高さに対応し、第１の径方向深さよりも深い第２の径方向深さの第２の切り欠き部と、を含む、ことを特徴とする。
【０００９】
また、本発明は、三脚座により着脱可能に保持することができるレンズ鏡筒であって、径方向外周面の同一円周上に植設された、三脚座に固定するための複数のコマを備え、複数のコマは、少なくとも、第１の径方向高さの第１のコマと、第１の径方向高さよりも高い第２の径方向高さを有する第２のコマとを含む、ことを特徴とする。
【００１０】
また、本発明は、レンズ鏡筒を着脱可能に保持するための三脚座であって、円環状の鏡筒保持環を備え、鏡筒保持環の内周面にはコマ保持溝が形成され、コマ保持溝を画成する被写体側の壁部の内周側の縁には複数の切り欠き部が形成され、複数の切り欠き部は、少なくとも、第１の径方向深さの第１の切り欠き部と、第１の径方向深さよりも深い第２の径方向深さを有する第２の切り欠き部と、を含む、ことを特徴とする。
【発明の効果】
【００１１】
本発明によれば、レンズ鏡筒を鏡筒保持環に対してスムーズに回転させることができるレンズ鏡筒と三脚座との着脱構造が提供される。
【図面の簡単な説明】
【００１２】
【図１】本発明の一実施形態による着脱構造により固定されたレンズ鏡筒及び三脚座を示す側面図である。
【図２】図１に示すレンズ鏡筒及び三脚座の分解斜視図である。
【図３】図１に示す三脚座の被写体側から見た正面図である。
【図４】図１に示すレンズ鏡筒のコマを通る光軸に垂直な平面における被写体側から見た断面図である。
【図５】レンズ鏡筒を三脚に対して回転した際の第２のコマの近傍を示す光軸方向断面図であり、第２のコマが第１の切り欠き部及び第２の切り欠き部以外の部分に位置した状態（図３のＡ−Ａ´断面図）を示す。
【図６】レンズ鏡筒を三脚に対して回転した際の第２のコマの近傍を示す光軸方向断面図であり、第２のコマが第１の切り欠き部の近傍に位置した状態（図３のＢ−Ｂ´断面図）を示す。
【図７】レンズ鏡筒を三脚に対して回転した際の第２のコマの近傍を示す光軸方向断面図であり、第２のコマが第２の切り欠き部以外の部分に位置した状態（図３のＣ−Ｃ´断面図）を示す。
【発明を実施するための形態】
【００１３】
以下、本発明のレンズ鏡筒と三脚座との着脱構造の一実施形態について図面を参照しながら詳細に説明する。
図１は、本発明の一実施形態による着脱構造により固定されたレンズ鏡筒及び三脚座を示す側面図である。図２は、図１に示すレンズ鏡筒及び三脚座の分解斜視図である。図３は、図１に示す三脚座の被写体側から見た正面図である。図４は、図１に示すレンズ鏡筒のコマを通る光軸に垂直な平面における被写体側から見た断面図である。なお、図２には、レンズ鏡筒の結像側端部のみを示している。
図１及び図２に示すように、本実施形態の着脱構造１は、三脚座２にレンズ鏡筒４を着脱可能に固定するための構造である。レンズ鏡筒４は、レンズ鏡筒４の結像側の端部の外周面に三脚座２の鏡筒保持環１６が締め付けられることにより、三脚座２に固定されている。
【００１４】
図２及び図４に示すように、レンズ鏡筒４の結像側の端部の外周には、径方向高さの異なる円柱状の第１のコマ６及び第２のコマ８がそれぞれ２つずつ植設されている。図２に示すように、各コマ６、８は、筒状のコマ本体６Ａ、８Ａをレンズ鏡筒４の外周面にねじ６Ｂ、８Ｂにより取り付けられて構成されている。図４に示すように、第１及び第２のコマ６、８は、異なる角度間隔でレンズ鏡筒４の外周面に植設されている。また、本実施形態では、図４におけるレンズ鏡筒４の右側の上下に位置する第１のコマ６の径方向高さ（第１の径方向高さ）に比べて、レンズ鏡筒４の左側の上下に位置する第２のコマ８の径方向高さ（第２の径方向高さ）が高くなっている。なお、第１のコマ６及び第２のコマ８の直径は等しい。
【００１５】
図１及び図３に示すように、三脚座２は、下面が平坦な基部１０と、基部１０の結像側端部から斜め上方に延びるアーム部１４と、アーム部１４の結像側端部に接続された鏡筒保持環１６と、締付ねじ１８と、を備える。基部１０、アーム部１４、及び鏡筒保持環１６は一体に形成されている。なお、三脚座２を三脚に取り付けた状態において、基部１０が三脚に固定され、基部１０に対して鏡筒保持環１６が起立する。
【００１６】
鏡筒保持環１６には、アーム部１４に接続された部位の側方に当たる箇所にスリット１６Ａが形成されている。鏡筒保持環１６のスリット１６Ａのアーム部１４と対向する端部には、受け座１６Ｂが形成されており、受け座１６Ｂにはアーム部１４に向けて貫通する貫通孔（不図示）が形成されている。また、アーム部１４には、この貫通孔と同一直線上に螺子孔が形成されている。そして、締付ねじ１８は、受け座１６Ｂの貫通孔を挿通し、先端がアーム部１４に形成された螺子孔に螺合している。このような構成により、締付ねじ１８を回転させることにより、スリット１６Ａの幅を調整し、鏡筒保持環１６の径を変更することができる。
【００１７】
鏡筒保持環１６の内周面には被写体側の壁部２２Ａ及び結像側の壁部２２Ｂにより画成された環状のコマ保持溝２０が形成されている。コマ保持溝２０の幅は、レンズ鏡筒４に植設された第１のコマ６及び第２のコマ８の直径よりもわずかに大きい。また、コマ保持溝２０を画成する被写体側の壁部２２Ａには径方向深さの異なる第１の切り欠き部２４及び第２の切り欠き部２６がそれぞれ２つずつ形成されている。第１の切り欠き部２４及び第２の切り欠き部２６は、それぞれ、第１のコマ６及び第２のコマ８に対応する角度位置に形成されている。第１の切り欠き部２４及び第２の切り欠き部２６は、コマ保持溝２０に連続している。
【００１８】
第１の切り欠き部２４は、鏡筒保持環１６の中心、すなわち、レンズ鏡筒の光軸よりも高い位置に設けられている。また、第２の切り欠き部２６は鏡筒保持環１６の中心よりも低い位置に設けられている。第１の切り欠き部２４及び第２の切り欠き部２６の径方向深さは、それぞれ、第１のコマ６及び第２のコマ８の径方向高さに対応している。具体的には、第２の切り欠き部２６の径方向深さ（第２の径方向深さ）は、第１の切り欠き部２４の径方向深さ（第１の径方向深さ）よりも大きい。また、鏡筒保持環１６の中心から第１の切り欠き部２４の底部までの距離は、レンズ鏡筒の光軸から第１のコマ６の最外部までの距離よりも大きく、レンズ鏡筒の光軸から第２のコマ８の最外部までの距離よりも小さい。また、鏡筒保持環１６の中心から第２の切り欠き部２６の底部までの距離は、レンズ鏡筒の光軸から第２のコマ８の最外部までの距離よりも大きい。
【００１９】
三脚座２にレンズ鏡筒４を固定するためには、まず、レンズ鏡筒４を三脚座２に対して、第１のコマ６及び第２のコマ８がそれぞれ、三脚座２の第１の切り欠き部２４及び第２の切り欠き部２６に対向するような姿勢に保持する。次に、レンズ鏡筒４を、結像側端部が鏡筒保持環１６内に位置し、第１のコマ６及び第２のコマ８が三脚座２の第１の切り欠き部２４及び第２の切り欠き部２６をそれぞれ通ってコマ保持溝２０内に位置するように、三脚座２に向かって移動する。そして、レンズ鏡筒４を光軸中心に回転させ、締付ねじ１８を回転させて鏡筒保持環１６によりレンズ鏡筒４を締め付ける。これにより、三脚座２にレンズ鏡筒４を固定することができる。
【００２０】
次に、レンズ鏡筒４に接続されたカメラの姿勢を回転させるべく、レンズ鏡筒４を三脚座２に対して回転させる際の挙動について説明する。図５〜図７は、レンズ鏡筒４を三脚座２に対して回転した際の第２のコマ８の近傍を示す光軸方向断面図であり、図５は第２のコマ８が第１の切り欠き部２４及び第２の切り欠き部２６以外の部分に位置した状態（図３のＡ−Ａ´断面図）、図６は第２のコマ８が第１の切り欠き部２４の近傍に位置した状態（図３のＢ−Ｂ´断面図）、図７は第２のコマ８が第２の切り欠き部２６以外の部分に位置した状態（図３のＣ−Ｃ´断面図）を示す。
【００２１】
ここで、三脚座２の鏡筒保持環１６はレンズ鏡筒４の結像側の端部に固定されており、大型のレンズ鏡筒４を取り付けたカメラ全体の重心は鏡筒保持環１６よりも被写体側に位置している。特に、レンズ鏡筒を望遠状態にすると、カメラ全体の重心はより被写体側に移動する。このため、レンズ鏡筒４を三脚座２に取り付けた状態において、光軸よりも上方に位置する第１及び第２のコマ６、８にはレンズ鏡筒４の自重により被写体側に向かう力が作用する。また、光軸よりも下方に位置する第１及び第２のコマ６、８にはレンズ鏡筒４の自重により結像側に向かう力が作用する。
【００２２】
レンズ鏡筒４を三脚座２に対して回転させる際、第１のコマ６及び第２のコマ８は、被写体側の壁部２２Ａ及び結像側の壁部２２Ｂにより案内されながら、コマ保持溝２０内を摺動する。図５に示すように、第２のコマ８が第１の切り欠き部２４及び第２の切り欠き部２６以外の部分に位置した状態では、第２のコマ８は被写体側の壁部２２Ａ及び結像側の壁部２２Ｂの間に挟み込まれた状態となっている。
【００２３】
レンズ鏡筒４を三脚座２に対して回転させると、図６に示すように、第２のコマ８が第１の切り欠き部２４の近傍を通過する。ここで、第１の切り欠き部２４は鏡筒保持環１６の中心よりも上方に形成されているため、第２のコマ８が第１の切り欠き部２４の近傍に位置した状態では、この第２のコマ８には被写体側に向かう力が作用する。これに対して、第２のコマ８の最外部は第１の切り欠き部２４の底部よりも径方向外側に位置している。このため、レンズ鏡筒４を三脚座２に対して回転する際に、第２のコマ８が第１の切り欠き部２４に当たる位置を通過しても、第２のコマ８は被写体側の壁部２２Ａに当接した状態が保たれ、第１の切り欠き部２４に入り込むことがない。このため、レンズ鏡筒４を三脚座２に対してスムーズに回転させることができる。
【００２４】
また、レンズ鏡筒４を三脚座２に対して回転させると、図７に示すように、第２のコマ８が第１の切り欠き部２４の近傍を通過する。ここで、第２の切り欠き部２６は鏡筒保持環１６の中心よりも下方に形成されているため、第２のコマ８が第２の切り欠き部２６の近傍に位置した状態では、第２のコマ８には結像側に向かう力が作用する。このため、レンズ鏡筒４を三脚座２に対して回転する際に、第２のコマ８が第２の切り欠き部２６に当たる位置を通過しても、第２のコマ８は結像側の壁部２２Ｂに押し付けられた状態で回転することとなり、第２の切り欠き部２６に入り込むことがない。このため、レンズ鏡筒４を三脚座２に対してスムーズに回転させることができる。
【００２５】
以上説明したように、本実施形態によれば、レンズ鏡筒４の外周面に第１の径方向高さの第１のコマ６と、第１の径方向高さよりも高い第２の径方向高さを有する第２のコマ８とが植設され、三脚座２の鏡筒保持環１６のコマ保持溝２０を画成する被写体側の壁部２２Ａの内周側の縁には、それぞれ、第１のコマ６及び第２のコマ８の径方向高さに対応する深さの第１の切り欠き部２４及び第２の切り欠き部２６が形成され、第１のコマ６及び第２のコマ８はこれら第１の切り欠き部２４及び第２の切り欠き部２６を通して鏡筒保持環１６のコマ保持溝２０内に収容されている。このため、レンズ鏡筒４を三脚座２に対して回転させる際に、第２のコマ８が第１の切り欠き部２４の近傍を通過したとしても、第２のコマ８の先端部が被写体側の壁部２２Ａに当接し、第１の切り欠き部２４に入り込むことがない。このため、レンズ鏡筒４を三脚座２に対してスムーズに回転させることができる。
【００２６】
また、本実施形態によれば、第２のコマ８の最外部は第１の切り欠き部２４の底部よりも径方向外側に位置している。これにより、第２のコマ８が第１の切り欠き部２４に入り込むことを確実に防止できる。
【００２７】
また、大型のレンズ鏡筒４を取り付けたカメラ全体の重心は鏡筒保持環１６よりも被写体側に位置しており、レンズ鏡筒４を三脚座２に取り付けた状態において、光軸よりも上方に位置する第１及び第２のコマ６、８にはレンズ鏡筒４の自重により被写体側に向かう力が作用し、光軸よりも下方に位置する第１及び第２のコマ６、８にはレンズ鏡筒４の自重により結像側に向かう力が作用する。これに対して、本実施形態によれば、第１の径方向深さの第１の切り欠き部２４が光軸よりも上方に形成され、第１の径方向深さよりも深い第２の径方向深さの第２の切り欠き部２６が光軸よりも下方に形成されている。このため、本実施形態によれば、第２のコマ８が光軸よりも上方に位置した状態では、第２のコマ８の先端が被写体側の壁部２２Ａに当接するため、第１の切り欠き部２４に入り込むことを防止でき、また、第２のコマ８が光軸よりも上方に位置した状態では、第２のコマ８は結像側の壁部２２Ｂに押し付けられ、第２の切り欠き部２６に入り込むことを防止できる。これにより、レンズ鏡筒４を三脚座２に対してスムーズに回転させることができる。
【００２８】
なお、本実施形態では、第１のコマ６及び第２のコマ８を２つずつ設ける構成としたが、本発明はこれに限られない。第１のコマ６及び第２のコマ８を、１つずつ設けてもよいし、３つ以上ずつ設けてもよい。また、第１のコマ６及び第２のコマ８の数は等しい必要はない。なお、第１のコマ６及び第２のコマ８の数を変更する場合には、第１の切り欠き部２４及び第２の切り欠き部２６の数も併せて変更する必要がある。
【００２９】
また、本実施形態では、２種類の径方向高さの第１のコマ６及び第２のコマ８を設けた場合について説明したが、これに限らず、３種類以上の径方向高さのコマを設けてもよい。なお、この場合には、切り欠き部の径方向深さも３種類以上にすることが好ましい。
【符号の説明】
【００３０】
１  着脱構造
２  三脚座
４  レンズ鏡筒
６  第１のコマ
８  第２のコマ
１０  基部
１４  アーム部
１６  鏡筒保持環
１６Ａ  スリット
１６Ｂ  受け座
１８  締付ねじ
２０  コマ保持溝
２２Ａ  被写体側の壁部
２２Ｂ  結像側の壁部
２４  第１の切り欠き部
２６  第２の切り欠き部
【図１】
2017058412.tif 000003
【図２】
2017058412.tif 000004
【図３】
2017058412.tif 000005
【図４】
2017058412.tif 000006
【図５】
2017058412.tif 000007
【図６】
2017058412.tif 000008
【図７】
2017058412.tif 000009